(57)【要約】【課題】縁石ブロック脇の雑草の成長を抑制可能な縁石ブロック並びに縁石ブロック脇の雑草の成長を抑制可能な道路の形成方法を提供すること。【解決手段】縁石ブロック３の側面４に、内方に窪む凹溝状のシート載置用横溝５を設け、このシート載置用横溝５は、歩道１若しくは前記車道２を構成する路盤11の上面と面一状態に配置する載置底面部６と、載置底面部６の上方に位置し側面４から縁石ブロック３の内方に向かって下がり傾斜する誘い込み傾斜上面部７とを有し、この誘い込み傾斜上面部７と前記載置底面部６との間に手13を入れて載置底面部６上に載置した防草シート10の端部のたわみや位置ズレを修正可能な修正作業用空間部９を形成した縁石ブロック。【選択図】図１
2015229853.tif 000002
【特許請求の範囲】
【請求項１】
歩道と車道の境界位置に設置固定される縁石ブロックにおいて、前記縁石ブロックの歩道若しくは車道に面する側面に、内方に窪む凹溝状のシート載置用横溝を設け、このシート載置用横溝は、前記側面の所定高さに位置する横溝底面部が水平面となる載置底面部に形成し、この載置底面部を前記歩道若しくは前記車道を構成する路盤の上面と面一状態に配置するように構成して、この路盤上に敷設載置した防草シートの端部をこの載置底面部上に載置し得るように構成し、このシート載置用横溝は、前記載置底面部の上方に位置する横溝上面部が前記側面から前記縁石ブロックの内方に向かって下がり傾斜する誘い込み傾斜上面部に形成すると共に、この誘い込み傾斜上面部の前記側面に対する下がり傾斜角度とシート載置用横溝の横溝開口上下幅とを、この誘い込み傾斜上面部と前記載置底面部との間に手を入れて載置底面部上に載置した防草シートの端部のたわみや位置ズレを修正可能な修正作業用空間部が形成される傾斜角度と開口上下幅であって、且つ前記防草シート載置後に前記路盤上に舗装した舗装材が誘い込み傾斜上面部に沿って載置底面部上に載置した防草シート端部の先端上にまで充填可能な傾斜角度と開口上下幅に設定したことを特徴とする縁石ブロック。
【請求項２】
前記誘い込み傾斜上面部の前記縁石ブロックの側面に対する下がり傾斜角度を、３５〜４５度に設定すると共に、前記シート載置用横溝の横溝開口上下幅を、３５〜４５ｍｍに設定したことを特徴とする請求項２記載の縁石ブロック。
【請求項３】
前記シート載置用横溝は、前記載置底面部の溝奥内側縁と、前記誘い込み傾斜上面部の溝奥内側縁との間に鉛直方向に立設する溝奥立設面部を有し、この溝奥立設面部と前記載置底面部と前記誘い込み傾斜上面部とに囲まれた空間部を前記修正作業用空間部としたことを特徴とする請求項１，２のいずれか１項に記載の縁石ブロック。
【請求項４】
前記溝奥立設面部の立設高さを、前記防草シートの厚みと同等若しくは防草シートの厚みよりやや高く設定したことを特徴とする請求項３記載の縁石ブロック。
【請求項５】
前記溝奥立設面部の立設高さを、１０〜１５ｍｍに設定したことを特徴とする請求項３，４のいずれか１項に記載の縁石ブロック。
【請求項６】
歩道と車道の境界位置に、前記請求項１〜５のいずれか１項に記載の縁石ブロックを、その前記側面が歩道若しくは車道に面するようにして設置すると共に、この縁石ブロックの前記シート載置用横溝の載置底面部を、歩道若しくは車道を構成する路盤の上面と面一状態に配置し、この路盤上に防草シートを敷設載置すると共に、防草シートの端部を前記載置底面部に載置し、この防草シート端部のたわみや位置ずれをシート載置用横溝の前記修正作業用空間部に手を入れて修正した後、この防草シート上に舗装材を舗装して歩道若しくは車道を形成すると共に、舗装材を前記修正作業用空間部に充填することを特徴とする道路の形成方法。
【発明の詳細な説明】
【技術分野】
【０００１】
本発明は、縁石ブロック脇の雑草の繁殖を抑制する縁石ブロック並びに縁石ブロック脇の雑草の繁殖を抑制する道路の形成方法に関するものである。
【背景技術】
【０００２】
従来から、歩道と車道の境界にコンクリート製の縁石ブロックを設置固定して歩道と車道を区別し、歩行者の安全を確保している。
【発明の概要】
【発明が解決しようとする課題】
【０００３】
ところで、歩道や車道の縁石ブロック付近には、雨水などによって流された土が溜まり易く、この縁石ブロック脇に溜まった土に種子が着床して雑草が繁殖している箇所が多く見受けられる。
【０００４】
このような縁石ブロック脇の雑草は、定期的に行う草刈り作業によって除去されてはいるが、道路上に茂っている部位を除去しても、根が縁石ブロックと歩道の隙間や縁石ブロックと車道の隙間から路盤の下方の地中にまで根付いているためすぐに繁茂してしまう。
【０００５】
本発明は、このような現状に鑑みて開発されたもので、縁石ブロック付近に溜まった土に雑草の種子が着床しても、根が地中深くに根付くことを防止して雑草の成長を抑制可能な縁石ブロック並びにこの縁石ブロックを用いた道路の形成方法を提供するものである。
【課題を解決するための手段】
【０００６】
添付図面を参照して本発明の要旨を説明する。
【０００７】
歩道１と車道２の境界位置に設置固定される縁石ブロック３において、前記縁石ブロック３の歩道１若しくは車道２に面する側面４に、内方に窪む凹溝状のシート載置用横溝５を設け、このシート載置用横溝５は、前記側面４の所定高さに位置する横溝底面部６が水平面となる載置底面部６に形成し、この載置底面部６を前記歩道１若しくは前記車道２を構成する路盤11の上面と面一状態に配置するように構成して、この路盤11上に敷設載置した防草シート10の端部をこの載置底面部６上に載置し得るように構成し、このシート載置用横溝５は、前記載置底面部６の上方に位置する横溝上面部７が前記側面４から前記縁石ブロック３の内方に向かって下がり傾斜する誘い込み傾斜上面部７に形成すると共に、この誘い込み傾斜上面部７の前記側面４に対する下がり傾斜角度θとシート載置用横溝５の横溝開口上下幅Ｌとを、この誘い込み傾斜上面部７と前記載置底面部６との間に手13を入れて載置底面部６上に載置した防草シート10の端部のたわみや位置ズレを修正可能な修正作業用空間部９が形成される傾斜角度と開口上下幅であって、且つ前記防草シート10載置後に前記路盤11上に舗装した舗装材12が誘い込み傾斜上面部７に沿って載置底面部６上に載置した防草シート10端部の先端上にまで充填可能な傾斜角度と開口上下幅に設定したことを特徴とする縁石ブロックに係るものである。
【０００８】
また、前記誘い込み傾斜上面部７の前記縁石ブロック３の側面４に対する下がり傾斜角度θを、３５〜４５度に設定すると共に、前記シート載置用横溝５の横溝開口上下幅Ｌを、３５〜４５ｍｍに設定したことを特徴とする請求項２記載の縁石ブロックに係るものである。
【０００９】
また、前記シート載置用横溝５は、前記載置底面部６の溝奥内側縁と、前記誘い込み傾斜上面部７の溝奥内側縁との間に鉛直方向に立設する溝奥立設面部８を有し、この溝奥立設面部８と前記載置底面部６と前記誘い込み傾斜上面部７とに囲まれた空間部を前記修正作業用空間部９としたことを特徴とする請求項１，２のいずれか１項に記載の縁石ブロックに係るものである。
【００１０】
また、前記溝奥立設面部８の立設高さＨを、前記防草シート10の厚みと同等若しくは防草シート10の厚みよりやや高く設定したことを特徴とする請求項３記載の縁石ブロックに係るものである。
【００１１】
また、前記溝奥立設面部８の立設高さＨを、１０〜１５ｍｍに設定したことを特徴とする請求項３，４のいずれか１項に記載の縁石ブロックに係るものである。
【００１２】
また、歩道１と車道２の境界位置に、前記請求項１〜５のいずれか１項に記載の縁石ブロック３を、その前記側面４が歩道１若しくは車道２に面するようにして設置すると共に、この縁石ブロック３の前記シート載置用横溝５の載置底面部６を、歩道１若しくは車道２を構成する路盤11の上面と面一状態に配置し、この路盤11上に防草シート10を敷設載置すると共に、防草シート10の端部を前記載置底面部６に載置し、この防草シート10端部のたわみや位置ずれをシート載置用横溝５の前記修正作業用空間部９に手13を入れて修正した後、この防草シート10上に舗装材12を舗装して歩道１若しくは車道２を形成すると共に、舗装材12を前記修正作業用空間部９に充填することを特徴とする道路の形成方法に係るものである。
【発明の効果】
【００１３】
本発明は上述のように構成したから、縁石ブロック側面のシート載置用横溝に、路盤上に敷設載置した防草シートの端部を差し込んで載置底面部に載置できるため、縁石ブロックと歩道若しくは道路との隙間を防草シートで塞ぐことができ、従ってこの縁石ブロック脇に着床した雑草の根が地中に向かって成長することを防草シートで遮断して雑草の繁茂を抑制でき、しかも、このシート載置用横溝には、誘い込み傾斜上面部と載置底面部との間に手を入れられる修正作業用空間部が形成されるから、この修正作業用空間部に手を入れて防草シート端部のたわみや位置ズレを容易に且つ確実に修正でき、路盤と舗装材間に隙間を生じない歩道若しくは車道を形成でき、その上、このシート載置用横溝は、誘い込み傾斜上面部の前記側面に対する下がり傾斜角度とシート載置用横溝の横溝開口上下幅とを、路盤上に舗装した舗装材が誘い込み傾斜上面部に沿って載置底面部上に載置した防草シート端部の先端上にまで充填可能な傾斜角度と開口上下幅に設定したから、修正作業用空間部には防草シート端部の先端上にまで舗装材が充填されて雑草の根が入り込める空隙ができないなど、極めて実用性に優れた縁石ブロック並びにこの縁石ブロックを用いた道路の形成方法となる。
【００１４】
また、請求項２記載の発明においては、手を入れて防草シート端部の修正作業が可能な修正作業用空間部が形成されるシート載置用横溝を確実に設計実現可能であると共に、修正作業用空間部に誘い込み傾斜上面部に沿って舗装材が一層入り込み易く充填され易い極めて実用性に優れた構成の縁石ブロックとなる。
【００１５】
また、請求項３〜５記載の発明においては、修正作業用空間部の溝奥にまで手を入れ易く、防草シート端部の修正作業を一層容易に且つ確実に行うことができる極めて実用性に優れた構成の縁石ブロックとなり、特に請求項４，５記載の発明のように構成すれば、修正作業用空間部の溝奥にまで確実に手の指を届かせて修正作業を行うことができる。
【図面の簡単な説明】
【００１６】
【図１】本実施例を示す斜視図である。
【図２】本実施例のシート載置用横溝を示す部分拡大正面図である。
【図３】本実施例を基礎上に設置すると共に、路盤とシート載置用横溝の載置底面部とを面一状態に施工した状態を示す説明正断面図である。
【図４】図３に続いて、路盤上に防草シートを敷設載置すると共に、防草シートの端部をシート載置用横溝に差し込んで載置底面部に載置した状態を示す説明正断面図である。
【図５】図４に続いて、載置底面部に載置した防草シートの端部を、修正作業用空間部に手の指を入れて平らに均そうとする様子を示す部分拡大説明正断面図である。
【図６】図５に続いて、防草シート上に舗装材を舗装する様子を示す説明正断面図である。
【図７】本実施例の道路の完成状態を示す説明斜断面図である。
【発明を実施するための形態】
【００１７】
好適と考える本発明の実施形態を、図面に基づいて本発明の作用を示して簡単に説明する。
【００１８】
本発明の縁石ブロック３は、歩道１若しくは車道２に面する側面４に設けた凹溝状のシート載置用横溝５に防草シート10の端部を差し込むことができ、この差し込んだ防草シート10の端部をシート載置用横溝５の載置底面部６に載置可能である。
【００１９】
このように、シート載置用横溝５に防草シート10の端部を差し込んで道路（歩道１若しくは車道２）を形成すると、縁石ブロック３の側面４と歩道１との隙間若しくは側面４と車道２との隙間を防草シート10で塞ぐことができるので、縁石ブロック３脇に着床した雑草の根が地中深くへと成長しようとすることを防草シート10で抑制することができ（路盤11下方の地中に根付こうとすることを防草シート10で遮断でき）、従って、縁石ブロック３脇で雑草が繁茂しにくく、また深く根付かないので除去することも容易に行われる。
【００２０】
本発明の縁石ブロック３の具体的な施工方法（道路の形成方法）を説明する。
【００２１】
歩道１と車道２の境界位置に、本発明の縁石ブロック３を、その側面４が歩道１若しくは車道２に面するようにして設置すると共に、この側面４に設けたシート載置用横溝５の水平な横溝底面部６（載置底面部６）を、歩道１若しくは車道２を構成する路盤11の上面と面一状態となるようにする。
【００２２】
次いで、路盤11上に防草シート10を敷設載置して、その端部を前記シート載置用横溝５に差し込み載置底面部６に載置する。
【００２３】
この路盤11と載置底面部６とに載置した防草シート10にたわみや位置ズレが発生していた場合には、これを修正するが、この際、防草シート10の端部は、シート載置用横溝５に差し込まれているものの、シート載置用横溝５の横溝上面部７が前記側面４から前記縁石ブロック３の内方に向かって下がり傾斜する誘い込み傾斜上面部７であって、この誘い込み傾斜上面部７の前記側面４に対する下がり傾斜角度θとシート載置用横溝５の横溝開口上下幅Ｌとを、この誘い込み傾斜上面部７と前記載置底面部６との間に手13を入れて載置底面部６上に載置した防草シート10の端部のたわみや位置ズレを修正可能な修正作業用空間部９が形成される傾斜角度と開口上下幅に設定しているから、この修正作業用空間部９に手13を入れてこの防草シート10端部のたわみや位置ズレの修正を容易に且つ確実に行うことができる。
【００２４】
次いで、この防草シート10上に舗装材12を敷設して歩道１若しくは車道２を形成するが、前記したように防草シート10のたわみや位置ズレを確実に修正できるので、路盤11と舗装材12間に隙間を生じない歩道１若しくは車道２を形成できる。
【００２５】
また、この際、シート載置用横溝５の誘い込み傾斜上面部７の前記側面４に対する下がり傾斜角度θとシート載置用横溝５の横溝開口上下幅Ｌとを、前記防草シート10載置後に前記路盤11上に舗装した舗装材12が誘い込み傾斜上面部７に沿って載置底面部６上に載置した防草シート10端部の先端上にまで充填可能な傾斜角度と開口上下幅に設定しているため、修正作業用空間部９には誘い込み傾斜上面部７に沿って舗装材12が入り込み易く、修正作業用空間部９に隙間なく舗装材12が充填されることになる。
【００２６】
従って、シート載置用横溝５に修正作業用空間部９を有してこの修正作業用空間部９に手13を入れて防草シート10のたわみや位置ズレを容易に且つ確実に修正可能な構成であるが、この修正作業用空間部９は最終的に舗装材12が充填されて雑草の根が入り込んで成長できる空隙とはならない。
【実施例】
【００２７】
本発明の具体的な実施例について図面に基づいて説明する。
【００２８】
本実施例の縁石ブロック３は、図１に示すような横長棒状且つ断面略台形状のコンクリート製ブロックであって、歩道１若しくは車道２に面する側面４に、内方に窪む凹溝状のシート載置用横溝５を設けて、このシート載置用横溝５に防草シート10の端部を差し込み配設可能とし、このシート載置用横溝５に差し込んだ防草シート10で縁石ブロック３脇に着床した雑草の根が地中深くへと成長しようとすることを抑制できるようにしたものである。
【００２９】
また、このシート載置用横溝５は、水平方向に長さを有すると共に、縁石ブロック３の長手方向の全範囲に設けている。
【００３０】
また、図面は、歩道１に面する側面４に前記シート載置用横溝５を設けているが、車道２に面する側面４にシート載置用横溝５を設けても良いし、歩道１に面する側面４と車道２に面する側面４の双方にシート載置用横溝５を設けても良い（双方の側面４にシート載置用横溝５を設けた場合には、歩道１側と車道２側の双方に防草シート10を差し込んで設置しても良い。）。
【００３１】
本実施例の要部であるシート載置用横溝５を、図２を用いて具体的に説明する。
【００３２】
シート載置用横溝５は、前記縁石ブロック３の側面４の下部寄りの所定高さに位置する横溝底面部６と、この横溝底面部６の上方に位置する横溝上面部７と、前記横溝底面部６の溝奥内側縁と前記横溝上面部７の溝奥内側縁との間に存する溝奥立設面部８とを有する構成とし、この横溝底面部６と横溝上面部７と溝奥立設面部８とに囲まれた空間部９を修正作業用空間部９としている。
【００３３】
先ず、前記横溝底面部６について説明すると、水平面となる載置底面部６に形成し、この載置底面部６を前記歩道１若しくは前記車道２の下層を構成する路盤11の上面と面一状態に配置するように構成して（基礎14上に設置した縁石ブロック３の載置底面部６と上面が面一状態となるように路盤11を施工して）、この路盤11上に敷設載置した防草シート10の端部をこの載置底面部６上に載置し得るように構成している。
【００３４】
また、この載置底面部６は、側面４の開口から溝奥内方への奥行幅Ｄを２０〜３０ｍｍ（好ましくは２５ｍｍ）に設定している。
【００３５】
次に、前記横溝上面部７について説明すると、側面４の開口から前記縁石ブロック３の内方に向かって下がり傾斜する誘い込み傾斜上面部７に形成している。
【００３６】
また、この誘い込み傾斜上面部７の前記側面４に対する下がり傾斜角度θは、３５〜４５度（好ましくは４０度）に設定している。
【００３７】
また、シート載置用横溝５の横溝開口上下幅Ｌが、この誘い込み傾斜上面部７と前記載置底面部６との間に手13の指を入れて載置底面部６上に載置した防草シート10の端部のたわみや位置ズレを修正可能な前記修正作業用空間部９が形成される開口上下幅となるように、前記載置底面部６と前記誘い込み傾斜上面部７との上下対向位置関係を設定構成している。
【００３８】
更に詳しくは、シート載置用横溝５の横溝開口上下幅Ｌを３５〜４５ｍｍ（好ましくは４０ｍｍ）に設定して、容易にこの修正作業用空間部９内に手13を入れることができるようにしている。
【００３９】
また、このように誘い込み傾斜上面部７の傾斜角度θとシート載置用横溝５の開口上下幅Ｌを設定すると、前記防草シート10載置後に前記路盤11上に舗装した舗装材12が誘い込み傾斜上面部７に沿って修正作業用空間部９に入り込み易く、舗装材12をローラー車両等で転圧すると、載置底面部６上に載置した防草シート10端部の先端上にまで舗装材12が充填されて空隙を生じないことが、出願人の試作実験で確認されている。
【００４０】
次に、前記溝奥立設面部８について説明すると、鉛直方向に立設するものとし、この溝奥立設面部８の立設高さＨを、前記防草シート10の厚みよりやや高く設定している。
【００４１】
更に詳しくは、溝奥立設面部８の立設高さＨを、１０〜１５ｍｍ（好ましくは１０ｍｍ）に設定して、修正作業用空間部９に入れた手13の指を溝奥立設面部８まで届かせて防草シート10端部のたわみや位置ズレを容易に修正できるようにしている。
【００４２】
次に、このように構成した本実施例の縁石ブロック３を用いた道路の形成方法を、図３〜図７を用いて説明する。尚、防草シート10は、市販されている一般的なもので良いが、防草シート10上に舗装材12としてアスファルトを舗装する場合には、アスファルトの熱で溶解しない耐熱性に優れたもの（例えばポリエステル系）を採用すると良い。
【００４３】
歩道１と車道２の境界位置に、シート載置用横溝５が設けられた側面４が歩道１に面するようにして縁石ブロック３を設置すると共に、このシート載置用横溝５の側面４の水平な載置底面部６を、歩道１の下層を構成する路盤11の上面と面一状態となるように施工する（図３参照。）。
【００４４】
次いで、路盤11上に防草シート10を敷設載置して、その端部を前記シート載置用横溝５に差し込み載置底面部６に載置する（図４参照。）。
【００４５】
尚、この路盤11と載置底面部６とに載置した防草シート10にたわみや位置ズレが発生していた場合には、図５に示すように、修正作業用空間部９に手13を入れてこの防草シート10端部のたわみや位置ズレの修正を行う。
【００４６】
次いで、この防草シート10上にアスファルトやコンクリートなどの舗装材12を舗装し（図６参照。）、舗装材12をローラー車両等で転圧して歩道１を完成させる（図７参照。）が、この際、修正作業用空間部９に前記誘い込み傾斜上面部７に沿って舗装材12が入り込み、修正作業用空間部９に隙間なく舗装材12が充填されることになる。また、この際、舗装材12の厚さ寸法がシート載置用横溝５の横溝開口上下幅Ｈと同等の厚さとなるように施工することで、修正作業用空間部９に舗装材12が良好に入り込んで、載置底面部６上に載置した防草シート10端部の先端上にまで充填されることになる。
【００４７】
尚、本発明は、本実施例に限られるものではなく、各構成要件の具体的構成は適宜設計し得るものである。
【符号の説明】
【００４８】
１  歩道
２  車道
３  縁石ブロック
４  側面
５  シート載置用横溝
６  横溝底面部・載置底面部
７  横溝上面部・誘い込み傾斜上面部
８  溝奥立設面部
９  修正作業用空間部
10  防草シート
11  路盤
12  舗装材
13  手
Ｈ  立設高さ
Ｌ  横溝開口上下幅
θ  下がり傾斜角度
【図１】
2015229853.tif 000003
【図２】
2015229853.tif 000004
【図３】
2015229853.tif 000005
【図４】
2015229853.tif 000006
【図５】
2015229853.tif 000007
【図６】
2015229853.tif 000008
【図７】
2015229853.tif 000009